(57)【要約】【課題】走行中でも安全に運転者がナビゲーション装置の操作を行うことができ、かつ、機械類の小型化にも対応できるナビゲーション装置を提供する。【解決手段】ナビゲーション装置１００が、ナビゲーション装置１００の振動の振動態様（動の発生源となった叩かれた振動発生エリアや、振動回数など）と動作内容とが対応付けされた動作内容情報を記憶する動作内容管理テーブル２１ｃを備え、ナビゲーション装置１００の筐体がユーザによって叩かれたことによるナビゲーション装置１００の振動を検知し、検知した振動の振動態様を判定し、動作内容情報を参照して、判定された振動態様に対応付けされている動作内容を選択し、選択した動作内容を実行する。【選択図】図５
2010230446.tif 000002
【特許請求の範囲】
【請求項１】
移動体の目的地までの推奨移動経路を導出し、導出した推奨移動経路を移動するように前記移動体を誘導するナビゲーション装置であって、
該ナビゲーション装置の振動の振動態様と動作内容とが対応付けされた動作内容情報を記憶する動作内容記憶手段と、
前記ナビゲーション装置の筐体がユーザによって叩かれたことによる当該ナビゲーション装置の振動を検知する振動検知手段と、
該振動検知手段が検知した振動の振動態様を判定する振動態様判定手段と、
前記動作内容情報を参照して、前記振動態様判定手段によって判定された振動態様に対応付けされている動作内容を選択し、選択した動作内容を実行する動作内容実行手段とを含む
ことを特徴とするナビゲーション装置。
【請求項２】
前記振動態様は、前記筐体におけるあらかじめ定められた複数のエリアのうち何れのエリアが叩かれたことによる振動であるかを示す振動発生エリアを含み、
前記動作内容情報は、振動発生エリア毎に異なる種類の動作内容が対応付けされた情報である
請求項１記載のナビゲーション装置。
【請求項３】
前記振動態様は、前記筐体が連続して何回叩かれたことによる振動であるかを示す振動発生回数を含み、
前記動作内容情報は、振動発生回数毎に異なる種類の動作内容が対応付けされた情報である
請求項１または請求項２記載のナビゲーション装置。
【請求項４】
前記動作内容は、自宅までの経路探索及び経路誘導、近隣エリアの情報検索及び検索情報の表示、進行方向あるいは誘導経路上の渋滞情報の表示、表示されている地図の縮尺変更のうち少なくとも１つを含む
請求項１から請求項３のうちいずれかに記載のナビゲーション装置。
【請求項５】
移動体が移動している道路の種類と振動検知レベルとが対応付けされた振動検知レベル情報を記憶する振動検知レベル情報記憶手段と、
移動体が移動している道路の種類を判定する道路種類判定手段とを含み、
前記振動検知手段は、前記振動検知レベル情報を参照し、前記道路種類判定手段が判定した道路の種類に対応付けされている振動検知レベル以上の振動を前記筐体がユーザによって叩かれたことによる振動として検知する
請求項１から請求項４のうちいずれかに記載のナビゲーション装置。
【請求項６】
移動体の目的地までの推奨移動経路を導出し、導出した推奨移動経路を移動するように前記移動体を誘導するナビゲーション装置の動作制御方法であって、
前記ナビゲーション装置の筐体がユーザによって叩かれたことによる当該ナビゲーション装置の振動を検知する振動検知処理と、
該振動検知処理にて検知した振動の振動態様を判定する振動態様判定処理と、
該ナビゲーション装置の振動の振動態様と動作内容とが対応付けされた動作内容情報を記憶する動作内容記憶手段に記憶された当該動作内容情報を参照して、前記振動態様判定処理にて判定した振動態様に対応付けされている動作内容を選択し、選択した動作内容を実行する動作内容実行処理とを含む
ことを特徴とするナビゲーション装置の動作制御方法。
【請求項７】
前記振動態様は、前記筐体におけるあらかじめ定められた複数のエリアのうち何れのエリアが叩かれたことによる振動であるかを示す振動発生エリアを含み、
前記動作内容情報は、振動発生エリア毎に異なる種類の動作内容が対応付けされた情報である
請求項６記載のナビゲーション装置の動作制御方法。
【請求項８】
前記振動態様は、前記筐体が連続して何回叩かれたことによる振動であるかを示す振動発生回数を含み、
前記動作内容情報は、振動発生回数毎に異なる種類の動作内容が対応付けされた情報である
請求項６または請求項７記載のナビゲーション装置の動作制御方法。
【請求項９】
移動体が移動している道路の種類を判定する道路種類判定処理を含み、
前記振動検知処理では、移動体が移動している道路の種類と振動検知レベルとが対応付けされた振動検知レベル情報を記憶する振動検知レベル情報記憶手段に記憶されている当該振動検知レベル情報を参照し、前記道路種類判定処理にて判定した道路の種類に対応付けされている振動検知レベル以上の振動を前記筐体がユーザによって叩かれたことによる振動として検知する
請求項６から請求項８のうちいずれかに記載のナビゲーション装置の動作制御方法。
【請求項１０】
移動体の目的地までの推奨移動経路を導出し、導出した推奨移動経路を移動するように前記移動体を誘導するナビゲーション装置に動作制御させるためのコンピュータプログラムであって、
前記ナビゲーション装置に、
前記ナビゲーション装置の筐体がユーザによって叩かれたことによる当該ナビゲーション装置の振動を検知する振動検知処理と、
該振動検知処理にて検知した振動の振動態様を判定する振動態様判定処理と、
該ナビゲーション装置の振動の振動態様と動作内容とが対応付けされた動作内容情報を記憶する動作内容記憶手段に記憶された当該動作内容情報を参照して、前記振動態様判定処理にて判定した振動態様に対応付けされている動作内容を選択し、選択した動作内容を実行する動作内容実行処理とを
実行させるためのコンピュータプログラム。
【発明の詳細な説明】
【技術分野】
【０００１】
本発明は、移動体の目的地までの推奨移動経路を導出し、導出した推奨移動経路を移動するように前記移動体を誘導するナビゲーション装置、ナビゲーション装置の動作制御方法、及びナビゲーション装置に動作制御させるためのコンピュータプログラムに関する。
【背景技術】
【０００２】
一般に、ナビゲーション装置は、ユーザによるナビゲーション装置の表示画面に表示されるメニューなどの操作に応じてその機能を発揮する。そのため、車両などの移動体に備えられるナビゲーション装置には、安全性の確保を目的として、車両の走行中はナビゲーション装置の操作ができないように設定されているものもあった。
【０００３】
しかし、実際には、走行中であってもナビゲーション装置を使いたい場合や、すぐに停車することができない場合があり、ナビゲーション装置を有効に使えないという問題が生じていた。このような問題に対して、例えば特許文献１では、運転手以外の人、例えば助手席に座っている人などによる操作を可能とするナビゲーション装置が開示されている。
【０００４】
また、例えば特許文献２では、ポータブルデバイスを簡単に操作する方法として、加速度計によりデバイスの移動を判定し、デバイスの移動に応じて処理を実行するものが開示されている。
【先行技術文献】
【特許文献】
【０００５】
【特許文献１】特許２９８８０８３号公報
【特許文献２】特許公表２００７−５２５７７５号公報
【発明の概要】
【発明が解決しようとする課題】
【０００６】
しかしながら、上述した従来の装置は、移動体の走行中に運転手が安全にナビゲーション装置を操作することができないという問題を解決するものではない。
【０００７】
また、近年の機械類の小型化に伴い、小型であっても走行中に簡単に操作することができるものが望まれている。
【０００８】
本発明は、上述した問題を解消し、走行中でも安全にナビゲーション装置の操作を行うことができ、かつ、機械類の小型化にも対応できるナビゲーション装置を提供することを目的とする。
【課題を解決するための手段】
【０００９】
本発明のナビゲーション装置は、移動体の目的地までの推奨移動経路を導出し、導出した推奨移動経路を移動するように前記移動体を誘導するナビゲーション装置であって、  該ナビゲーション装置の振動の振動態様と動作内容とが対応付けされた動作内容情報を記憶する動作内容記憶手段と、前記ナビゲーション装置の筐体がユーザによって叩かれたことによる当該ナビゲーション装置の振動を検知する振動検知手段と、該振動検知手段が検知した振動の振動態様を判定する振動態様判定手段と、前記動作内容情報を参照して、前記振動態様判定手段によって判定された振動態様に対応付けされている動作内容を選択し、選択した動作内容を実行する動作内容実行手段とを含むことを特徴とする。
【００１０】
上記の構成としたことで、走行中でも安全にナビゲーション装置の操作を行うことができ、かつ、機械類の小型化にも対応できるナビゲーション装置を提供することができるようになる。
【００１１】
すなわち、筐体を叩くという簡単な操作で所定の動作内容を実行することができるので、ナビゲーション装置の画面表示を視認して操作を行う必要性を減少させることができる。また、振動検知手段として加速度センサなどを用いることで、スイッチの配置を考慮する必要性を回避することができる。
【００１２】
前記振動態様は、前記筐体におけるあらかじめ定められた複数のエリアのうち何れのエリアが叩かれたことによる振動であるかを示す振動発生エリアを含み、前記動作内容情報は、振動発生エリア毎に異なる種類の動作内容が対応付けされた情報である構成とされていてもよい。
【００１３】
前記振動態様は、前記筐体が連続して何回叩かれたことによる振動であるかを示す振動発生回数を含み、前記動作内容情報は、振動発生回数毎に異なる種類の動作内容が対応付けされた情報である構成とされていてもよい。
【００１４】
前記動作内容は、自宅までの経路探索及び経路誘導、近隣エリアの情報検索及び検索情報の表示、進行方向あるいは誘導経路上の渋滞情報の表示、表示されている地図の縮尺変更のうち少なくとも１つを含む構成とされていてもよい。
【００１５】
移動体が移動している道路の種類と振動検知レベルとが対応付けされた振動検知レベル情報を記憶する振動検知レベル情報記憶手段と、移動体が移動している道路の種類を判定する道路種類判定手段とを含み、前記振動検知手段は、前記振動検知レベル情報を参照し、前記道路種類判定手段が判定した道路の種類に対応付けされている振動検知レベル以上の振動を前記筐体がユーザによって叩かれたことによる振動として検知する構成とされていてもよい。
【００１６】
また、本発明のナビゲーション装置の動作方法は、移動体の目的地までの推奨移動経路を導出し、導出した推奨移動経路を移動するように前記移動体を誘導するナビゲーション装置の動作制御方法であって、前記ナビゲーション装置の筐体がユーザによって叩かれたことによる当該ナビゲーション装置の振動を検知する振動検知処理と、該振動検知処理にて検知した振動の振動態様を判定する振動態様判定処理と、該ナビゲーション装置の振動の振動態様と動作内容とが対応付けされた動作内容情報を記憶する動作内容記憶手段に記憶された当該動作内容情報を参照して、前記振動態様判定処理にて判定した振動態様に対応付けされている動作内容を選択し、選択した動作内容を実行する動作内容実行処理とを含むことを特徴とする。
【００１７】
さらに、本発明のナビゲーション装置に動作制御させるためのコンピュータプログラムは、移動体の目的地までの推奨移動経路を導出し、導出した推奨移動経路を移動するように前記移動体を誘導するナビゲーション装置に動作制御させるためのコンピュータプログラムであって、前記ナビゲーション装置に、前記ナビゲーション装置の筐体がユーザによって叩かれたことによる当該ナビゲーション装置の振動を検知する振動検知処理と、該振動検知処理にて検知した振動の振動態様を判定する振動態様判定処理と、該ナビゲーション装置の振動の振動態様と動作内容とが対応付けされた動作内容情報を記憶する動作内容記憶手段に記憶された当該動作内容情報を参照して、前記振動態様判定処理にて判定した振動態様に対応付けされている動作内容を選択し、選択した動作内容を実行する動作内容実行処理とを実行させるためのものである。
【発明の効果】
【００１８】
本発明によれば、走行中でも安全にナビゲーション装置の操作を行うことができ、かつ、機械類の小型化にも対応できるナビゲーション装置を提供することができるようになる。
【図面の簡単な説明】
【００１９】
【図１】本発明に係るナビゲーション装置の一実施の形態を示す構成図である。
【図２】閾値情報管理テーブルの格納状態の例を示す説明図である。
【図３】動作内容管理テーブルの格納状態の例を示す説明図である。
【図４】本発明のナビゲーション装置の表示画面の例を示す説明図である。
【図５】特別操作処理の例を示すフローチャートである。
【図６】他の実施例の表示画面の例を示す説明図である。
【発明を実施するための形態】
【００２０】
以下、本発明の一実施の形態について図面を参照して説明する。
【００２１】
図１は、本発明の一実施の形態を示すナビゲーション装置１００の構成例を示すブロック図である。図１に示すように、ナビゲーション装置１００は、情報処理部１０と、入力部１１と、センサ部１２と、画面表示部１３と、音声出力部１４と、外部情報取得部２０と、記憶部２１とを含む。本例のナビゲーション装置１００は、例えば車両などの移動体における操縦者（運転者）の近傍（例えば自動車であれば運転席と助手席の間の前方）に着脱可能に固定設置される。
【００２２】
情報処理部１０は、例えばＣＰＵ（中央処理装置）により構成され、記憶部２１に記憶されたコンピュータプログラム（ナビゲーション装置に動作制御させるためのコンピュータプログラム）に従い、ナビゲーション装置１００を構成する各要素を統括制御し、経路探索機能、経路誘導機能、サービス情報（ガソリンスタントやコンビニエンスストア、ラーメン店、ホテル・旅館といった店舗情報や、有名な施設情報、行楽地情報といったＰＯＩ（Point Of Interest）情報）を検索する情報検索機能を含む各種の処理を実行するための各種の機能を有する。なお、これらの各種の機能は、一般のナビゲーション装置が備える公知の技術によって実現される。
【００２３】
入力部１１は、例えばタッチパネルやボタンなどによって構成され、ユーザの操作に応じて、情報処理部１０に対して操作信号を出力する機能を有する。
【００２４】
センサ部１２は、例えば加速度センサによって構成され、ナビゲーション装置１００に生じる振動と加速度を検出し、振動情報および加速度情報として情報処理部１０に通知する機能を有する。本例のナビゲーション装置１００は、ナビゲーション装置１００に定常的に生じている振動が生じている場合には、センサ部１２と情報処理部１０とが連動して、定常振動として扱う機能を有する。センサ部１２は、例えば、ナビゲーション装置１００における筐体において動作指示のために叩くエリアとされるエリアの数に応じて複数個設けられ（同じエリア（例えば後述する図４に示す右上部分のエリア）について後述するタッチ方向によって振動を区別する場合には、そのエリアについて１つ設けるようにすればよい）、それぞれ対応するエリアの近傍に設けられる。なお、振動と加速度の検出は、公知の技術を利用することにより行うこととする。
【００２５】
画面表示部１３は、例えば液晶表示装置によって構成され、情報処理部１０の制御に応じた画面を表示する機能を有する。
【００２６】
音声出力部１４は、例えばスピーカであり、情報処理部１０の制御に応じた音声を出力する機能を有する。本例においては、ナビゲーション装置１００は、画面表示部１３と音声出力部１４によって、ユーザの操作に応じた動作内容を報知する。
【００２７】
外部情報取得部２０は、装置１００の外部から各種の情報を取得するための装置であり、例えば、ＧＰＳ（Global Positioning System）受信機と、無線通信ネットワークを介したデータの送受信を行う機能を有する通信装置とを含む。本例では、外部情報取得部２０は、外部からＧＰＳ信号を取得したり、渋滞情報を取得したりする処理を行う。
【００２８】
記憶部２１は、例えばＲＯＭ（Read Only Memory）やＲＡＭ（Random Access Memory）等で構成され、各種のデータを記憶する記憶媒体である。本例においては、記憶部２１は、地図情報記憶部２１ａと、閾値情報管理テーブル２１ｂと、動作内容管理テーブル２１ｃとを含む。
【００２９】
地図情報記憶部２１ａは、地図情報を記憶する記憶媒体である。なお、一般にナビゲーション装置で利用される地図情報は、一定の経度幅と緯度幅で区切られた矩形状の範囲に分割された状態で記憶される。また、地図情報は、記憶部２１内にあらかじめ記憶しておくようにしてもよいし、例えば、インターネットなどの通信ネットワークを介してダウンロードするようにしてもよく、ＵＳＢメモリなどの各種記録媒体に格納された構成としてもよい。
【００３０】
閾値情報管理テーブル２１ｂは、後述する特別操作処理において、特別加速度の扱いに対するエンジンや路面の凹凸により生じる車両の振動の影響を排除するために用いられる閾値情報が設定されるテーブルである。図２は、閾値情報管理テーブル２１ｂにおける閾値情報の格納状態の例を示す説明図である。図２に示すように、閾値情報は、高速道路や国道などの道路種別と閾値が対応付けられた情報である。例えば、国道などの整備された道路である場合には、路面の凹凸による振動が少ないため、感度が低くなるように閾値が定められる。また、高速で走行する高速道路は、道路は整備されているが走行による振動は大きめとなるため、感度を中程度とするようにすればよい。そして、山道などの路面の凹凸による振動が大きいと考えられる道路については、感度が高くなるように閾値が定められる。なお、閾値は、道路種別でなく、現在の移動速度（走行速度）などの走行状況を示す他の走行状況情報と対応付けされるようにしてもよい。また、複数種類の走行状況情報が閾値に対応付けされるようにしてもよい。また、閾値の大きさをユーザが設定できるような構成とされていてもよい。
【００３１】
動作内容管理テーブル２１ｃは、後述する特別操作処理において用いられる動作内容情報が設定されるテーブルである。図３は、動作内容管理テーブル２１ｃにおける動作内容情報の例を示す説明図である。図３に示すように、動作内容情報は、各動作内容のＩＤと、対応する動作内容の使用頻度（あるいは使用回数）と、対応する動作内容を実行可能な時間帯と、対応する動作内容を実行可能な曜日と、対応する動作内容を実行可能な車両の速度範囲や移動方向などの走行情報と、ナビゲーション装置１００の筐体におけるユーザが叩く位置（以下、タッチ位置と呼ぶ。）および叩く方向（以下、タッチ方向と呼ぶ。）と、動作内容とが対応付けされた情報である。動作内容としては、例えば、画面表示部１３に表示した地図の縮尺変更や、現在位置から自宅への移動経路の検索と誘導の開始など、様々なものが考えられる。なお、タッチ位置とタッチ方向に対応する動作内容は、ユーザが設定できる構成とされていてもよい。この場合、ナビゲーション装置１００は、動作内容設定用の画面をユーザに提供し、その画面上で各タッチ位置とタッチ方向に対応する動作内容の設定を受け付けるようにすればよい。
【００３２】
ここで、本例におけるタッチ位置とタッチ方向について図を用いて説明する。図４は、画面表示部１３に表示される表示画面の例を示す説明図である。図４に示すように、画面表示部１３が表示する表示画面Ｇの各所には、その近傍を叩いて振動を与えることにより、所定の動作内容が実行されることをユーザに報知するための特別操作報知アイコンＴ１〜Ｔ４が表示される。本例では、画面表示部１３が表示する表示画面Ｇの中心座標を基準にして、中央上側部分のエリア（ナビゲーション装置１００の筐体Ｋの該当エリア、以下同じ。）を下方向に向けて叩くことで周辺検索を実行することを示す特別操作報知アイコンＴ１と、右上部分のエリアを下方向に叩くことで地図を広域表示に切り替える処理（ズームアウト処理）を実行することを示す特別操作報知アイコンＴ２と、右上部分のエリアを左方向に叩くことで地図を詳細表示に切り替える処理（ズームイン処理）を実行することを示す特別操作報知アイコンＴ３と、右下部分のエリアを左方向に叩くことで渋滞情報を表示する処理を実行することを示す特別操作報知アイコンＴ４とが表示されている。すなわち、４種類の動作内容が設定されているものとする。なお、本例においては、筐体Ｋの右上部分を叩く際に叩く方向により実行される動作内容が異なることをプレイヤに報知するために、それぞれ対応する位置に特別操作報知アイコンＴ２，Ｔ３が表示されることとする。
【００３３】
次に、本例のナビゲーション装置１００の動作について説明する。
図５は、ナビゲーション装置１００がセンサ部１２からの振動検知の通知に基づいて実行する特別操作処理の例を示すフローチャートである。特別操作処理では、検出した加速度が、ナビゲーション装置１００に所定の動作をさせることを目的にユーザがナビゲーション装置１００を叩いたことにより発生したものであるか否かを判断し、ユーザが叩いたことによるものだと判断した場合には、叩いた位置と方向に応じて所定の動作内容を実行するための処理が行われる。
【００３４】
本例におけるナビゲーション装置１００は、センサ部１２によって検知された振動（加速度）のうち、エンジンの動作や路面の凹凸により定常的に生じるナビゲーション装置１００の振動を定常振動として取り扱う。すなわち、ナビゲーション装置１０は、センサ部１２によって検知された加速度が、定常振動と異なる所定値以上の加速度（以下、特別加速度）であるか否かを確認する（ステップＳ１００）。特別加速度を検出すると（ステップＳ１００のＹ）、情報処理部１０は、外部情報取得部２０により取得されているＧＰＳ信号を用いて現在位置を測位し、地図情報記憶部２１ａに記憶されている地図情報を参照して現在位置の道路が何れの道路種別であるか判定し（ステップＳ１０１）、閾値情報管理テーブル２１ｂを参照して閾値を決定する（ステップＳ１０２）。
【００３５】
閾値を決定すると、情報処理部１０は、特別加速度の大きさが閾値以上であるか否かを判断する（ステップＳ１０３）。特別加速度の大きさが閾値よりも小さいと判断すると（ステップＳ１０３のＮ）、情報処理部１０は、ユーザがナビゲーション装置１００を叩いたことにより発生した振動でないものと判断し、特別操作処理を終了する。
【００３６】
一方、特別加速度の大きさが閾値以上だと判断すると（ステップＳ１０３のＹ）、情報処理部１０は、ユーザがナビゲーション装置１００を叩いたことにより発生した振動であると判定し、加速度情報からタッチ位置とタッチ方向を決定する（ステップＳ１０４）。なお、加速度センサだけでなく、角速度センサ（ジャイロセンサ）を併用することで、タッチ位置とタッチ方向の検出精度を向上させることが好ましい。
【００３７】
タッチ位置とタッチ方向を決定すると、情報処理部１０は、動作内容管理テーブル２１ｃを参照し、タッチ位置とタッチ方向に対応する動作内容を決定する（ステップＳ１０５）。ここでは、情報処理部１０は、例えば、加速度情報を通知してきたセンサ部１２（加速度を検知したセンサ部）がいずれのセンサ部であるか（どのエリアに対応して設置されているセンサ部であるか）と、その加速度情報の内容とからタッチ位置とタッチ方向を特定し、特定したタッチ位置とタッチ方向に対応する動作内容を決定する。
【００３８】
なお、本例においては、動作内容管理テーブル２１ｃにおいて、動作内容に対して、タッチ位置とタッチ方向の他、使用頻度なども対応付けされている。これにより、情報処理部１０は、よりユーザの意図に近い動作内容を選択することが可能となる。すなわち、タッチ位置とタッチ方向が明確に判断できない場合や、同じタッチ位置とタッチ方向の組み合わせに複数の動作内容が設定されている場合には、情報処理部１０は、例えば、使用頻度の高い動作内容を優先的に選択する構成となっている。なお、使用頻度と同様に、所定のエリアを動作内容に対応付けするようにしてもよい。この場合、同じタッチ位置とタッチ方向の組み合わせに複数の動作内容が設定されている場合に、移動体の現在位置が含まれているエリア（例えば、富士山など）に対応付けされている動作内容（例えば装置１００に搭載されているカメラのシャッターを押す動作）を優先的に選択するようにすればよい。
【００３９】
そして、情報処理部１０は、動作内容を決定し、決定した動作内容を実行するための処理を行う（ステップＳ１０６）。さらに、情報処理部１０は、動作内容管理テーブル２１ｃにおける動作内容情報のうち所定の情報（例えば使用履歴など）を更新し（ステップＳ１０７）、特別操作処理を終了する。
【００４０】
以上に説明したように、上述した一実施の形態では、移動体（例えば、車両）の目的地までの推奨移動経路を導出し、導出した推奨移動経路を移動するように移動体を誘導するナビゲーション装置１００が、ナビゲーション装置１００の振動の振動態様（例えば、タッチ位置とタッチ方向から判定される例えば筐体側面、上面、あるいは底面上のうち何れのエリアであって、振動の発生源となった叩かれた振動発生エリアや、振動回数などを含む。）と動作内容とが対応付けされた動作内容情報を記憶する動作内容管理テーブル２１ｃを備え、ナビゲーション装置１００の筐体がユーザによって叩かれたことによるナビゲーション装置１００の振動を検知し、検知した振動の振動態様を判定し、動作内容情報を参照して、判定された振動態様に対応付けされている動作内容を選択し、選択した動作内容を実行する構成としたので、走行中でも安全に運転者がナビゲーション装置の操作を行うことができるようになり、かつ、機械類の小型化にも対応できるナビゲーション装置を提供することができるようになる。
【００４１】
すなわち、筐体を叩くという簡単な操作で対応する所定の動作内容を実行する構成としたので、ナビゲーション装置の画面表示を視認して操作を行う必要性を減少させることができ、走行中でも安全に運転者がナビゲーション装置の操作を行うことができるようになる。また、振動検知手段として加速度センサなどを用いることで、表示画面上や筐体に多くのスイッチを配置する必要性を回避することができるようになり、機械類の小型化に対応できるようになる。さらに、ユーザが叩いたことによる振動の振動検知により動作指示を受け付けるようにしているので、例えば車両の運転席に設置するリモートコントロールスイッチなどを用いることなく、走行中に運転者が簡単に動作指示を行うことが可能となる。
【００４２】
例えば、上述した実施の形態では、移動体である車両の走行中に、運転者がナビゲーション装置１００の筐体の所定エリアを叩くことによって、対応する動作内容の処理、すなわち、ナビゲーション装置１００に画面表示部１３の表示画面に表示されている地図の縮尺を変更する処理を実行させたり、現在位置から自宅までの経路探索及び経路誘導処理を実行させたり、進行方向（経路誘導中であれば誘導経路上）で近い場所にあるパーキングやトイレ（コンビニエンスストア、ガソリンスタンド、公共施設など使用可能なトイレがある店舗や施設を含む）などのサービス情報を検索して表示させる処理を実行させたり、進行方向（経路誘導中であれば誘導経路上）渋滞情報を表示させる処理を実行させたりすることが可能となる。
【００４３】
従って、高速道路上などの車両を停止させることができない場合や、路肩のない細い道などの車両を停止させることが困難な場合であっても、車両を停止させることなく簡単かつ安全に運転者がナビゲーション装置１００に所望の動作を実行させることが可能となる。
【００４４】
また、上述した実施の形態では、振動態様は、筐体におけるあらかじめ定められた複数のエリア（例えば、画面表示部１３によって表示される表示画面の中心を基準にして、中央上側、右上部分、右下部分。）のうち何れのエリアが叩かれたことによる振動であるかを示す振動発生エリアを含み、動作内容情報は、動発生エリア毎に異なる種類の動作内容が対応付けされた情報である構成としているので、ユーザに複数の選択肢を提供することができるようになる。
【００４５】
また、上述した実施の形態では特に言及していないが、振動態様は、筐体が連続して何回叩かれたことによる振動であるかを示す振動発生回数を含み、動作内容情報は、振動発生回数毎に異なる種類の動作内容が対応付けされた情報である構成としてもよい。この場合、例えばセンサ部１２が、ナビゲーション装置１００の振動を開始してから一定時間追加的振動が発生しないか監視する構成とすればよい。このような構成とすることで、さらに、ユーザに多数の選択肢を提供することができるようになる。
【００４６】
また、上述した実施の形態において、動作内容は、自宅までの経路探索及び経路誘導、近隣エリアの情報検索及び検索情報の表示、進行方向（移動体の進行方向。具体的には、高速道路における進行方向上の道路であって現在位置から所定距離（例えば５０Ｋｍ）先までの道路）あるいは誘導経路（例えば、経路誘導を行っている場合における誘導経路上の道路であって現在位置から所定距離（例えば５０Ｋｍ）先までの道路）上の渋滞情報の表示、表示されている地図の縮尺変更を含む構成とした場合には、一般に、走行中のユーザにとって有効なナビゲーション装置の機能を、移動体である車両等の運転操作の妨げとなることなく発揮させることが可能となる。
【００４７】
また、上述した実施の形態では、移動体が移動している道路の種類と振動検知レベル（例えば、閾値）とが対応付けされた振動検知レベル情報を記憶し、移動体が移動している道路の種類を判定し、振動検知レベル情報（例えば、閾値情報）を参照し、判定した道路の種類に対応付けされている振動検知レベル以上の振動を筐体がユーザによって叩かれたことによる振動として検知する構成とされていてもよい。このような構成とすることにより、走行中に道路の凹凸などによる振動をナビゲーション装置の動作内容実行トリガとして検出してしまうことを防止することができる。さらに、ユーザによる振動検知レベルの設定が可能である構成とされていてもよい。このような構成とすれば、個々のユーザの運転環境に応じて、ナビゲーション装置の誤動作をより有効に防止することが可能となる。
【００４８】
なお、上述した実施の形態では、検知した特別加速度の大きさが事前に設定されている振動検知レベル以上の振動を筐体がユーザによって叩かれたことによる振動として検知する構成としていたが、検知した特別加速度の大きさがユーザによって叩かれたことによる振動として想定される値よりも大きな値を上限振動検知レベルとして設定し、検知した特別加速度の大きさが上記の振動検知レベル（ここでは下限振動検知レベル）から上限振動検知レベルまでの範囲に入っている場合にユーザがナビゲーション装置１００を叩いたことにより発生した振動であると判定するようにしてもよい。すなわち、上述したステップＳ１０３にて、情報処理部１０が、検知した特別加速度の大きさが事前に設定されている所定の振動レベル範囲（下限振動検知レベルから上限振動検知レベルまでの範囲）に入っている場合に、ユーザがナビゲーション装置１００を叩いたことにより発生した振動であると判定するようにしてもよい。
【００４９】
また、上述した実施の形態では、ナビゲーション装置１００の筐体（例えば、画面表示部１３）が、ユーザによって叩かれたことによるナビゲーション装置１００の振動の振動態様を判定するときに、叩かれた位置と叩いた方向との両方から判定する構成としていたが、叩かれた位置のみから振動態様を判定する構成としてもよい。このような構成とすることにより、センサ部１２のコストを低減することが可能となる。このように構成した場合であっても、動作内容が設定された箇所が少なければ正確に判定することができる。
【００５０】
すなわち、例えば、画面表示部１３の表示画面の中心を基準にして、上側を叩くことと、側面を叩くこととに、それぞれ動作内容が設定可能である構成とすることにより、タッチ方向を検出する負荷を回避することができる。この場合、例えば図６に示すように、表示画面Ｇにおけるユーザが叩く筐体Ｋのエリア付近に、その近傍を叩いて振動を与えることにより、所定の動作内容が実行されることをユーザに報知するための特別操作報知アイコンＴ１１〜Ｔ１３を表示するようにすればよい。なお、ユーザによって叩かれるエリアをどのエリアにするかについては、図６に示した例に限らず、どのように定められていてもよい。
【産業上の利用可能性】
【００５１】
本発明によれば、走行中でも安全にナビゲーション装置の操作を行うことができ、かつ、機械類の小型化にも対応できるナビゲーション装置を提供するのに有用である。
【符号の説明】
【００５２】
１０          情報処理部
１１          入力部
１２          センサ部
１３          画面表示部
１４          音声出力部
２０          外部情報取得部
２１          記憶部
Ｔ１〜Ｔ４    特別操作報知アイコン
【図１】
2010230446.tif 000003
【図２】
2010230446.tif 000004
【図３】
2010230446.tif 000005
【図５】
2010230446.tif 000006
【図４】
2010230446.tif 000007
【図６】
2010230446.tif 000008